(57)【要約】【課題】  部品類の単純化及び多様化を可能にし、製造等に係わるコストダウンを図るとともに、取扱性（使用容易性）、更には耐久性を高める。【解決手段】  被矯正歯Ｔの表面Ｔｆに固定してアーチワイヤＡを保持する歯列矯正用ブラケット１を構成するに際して、アーチワイヤＡが挿通する挿通孔２ｈｐ，２ｈｑを有するワイヤホルダ部２と、このワイヤホルダ部２に嵌合し、かつ被矯正歯Ｔの表面Ｔｆに接着固定するホルダ支持部３と、アーチワイヤＡを挿通させたワイヤホルダ部２をホルダ支持部３に嵌合した際に当該ワイヤホルダ部２を当該ホルダ支持部３に固定する固定部４を備える。【選択図】  図１
2010263932.tif 000002
【特許請求の範囲】
【請求項１】
被矯正歯の表面に固定してアーチワイヤを保持する歯列矯正用ブラケットにおいて、前記アーチワイヤが挿通する挿通孔を有するワイヤホルダ部と、このワイヤホルダ部に嵌合し、かつ被矯正歯の表面に接着固定するホルダ支持部と、前記アーチワイヤを挿通させた前記ワイヤホルダ部を前記ホルダ支持部に嵌合した際に当該ワイヤホルダ部を当該ホルダ支持部に固定する固定部とを具備してなることを特徴とする歯列矯正用ブラケット。
【請求項２】
前記ホルダ支持部は、前記アーチワイヤに対する位置規制部を一体に有することを特徴とする請求項１記載の歯列矯正用ブラケット。
【請求項３】
前記ワイヤホルダ部は、前記ホルダ支持部の前面及び側面全体を覆う形状に構成することを特徴とする請求項１記載の歯列矯正用ブラケット。
【請求項４】
前記固定部は、前記ワイヤホルダ部及び前記ホルダ支持部とは別体に形成するとともに、前記ワイヤホルダ部と前記ホルダ支持部間に挿通し又は係止する一又は二以上のピン部を有し、かつ当該ピン部を前記ワイヤホルダ部と前記ホルダ支持部間に挿通し又は係止した際に固定する固定手段を有する固定部材を用いることを特徴とする請求項１記載の歯列矯正用ブラケット。
【請求項５】
前記固定部は、前記ワイヤホルダ部又は前記ホルダ支持部の一方に一体形成した係止爪部と、前記ワイヤホルダ部又は前記ホルダ支持部の他方に一体形成し、かつ前記係止爪部に係止可能な被係止部により構成することを特徴とする請求項１〜３のいずれかに記載の歯列矯正用ブラケット。
【発明の詳細な説明】
【技術分野】
【０００１】
本発明は、被矯正歯の表面に固定して歯列の矯正を行うアーチワイヤを保持する際に用いて好適な歯列矯正用ブラケットに関する。
【背景技術】
【０００２】
一般に、被矯正歯の表面に固定してアーチワイヤを保持し、アーチワイヤの弾力により歯列に対する位置的な矯正を行う歯列矯正用ブラケットは知られている。
【０００３】
従来、この種の歯列矯正用ブラケットとしては様々なタイプが知られており、例えば、特許文献１には、ブラケットのスロットにアーチワイヤをスライド可能に受け入れ、ブラケットのウィングに結紮シートを係止して、そのブラケットならびにアーチワイヤを覆うようにした歯列矯正用ブラケットが開示され、特許文献２には、アーチワイヤースロットのある本体、及びスロットを開閉するために動き得る固定用摺動部材を有する自己固定式の歯列矯正用ブラケットが開示され、特許文献３には、ブラケットと、ブラケットに結合されたラッチとを備える歯列矯正ブラケットおよびラッチ組立体が開示され、特許文献４には、歯に付着する舌側面を有し且つアーチワイヤ・スロットを形成する本体、及びアーチワイヤ・スロットへの出入を可能とする開放位置とアーチワイヤスロットへの出入を不可能とす閉鎖位置との間を変動するクリップから構成される歯列矯正ブラケットが開示され、特許文献５には、アーチワイヤスロットを有し且つ歯へ固定されるよう適合される本体部と、該本体部へ結合され、且つアーチワイヤスロットへのアクセスを可能にする開放位置とアーチワイヤスロットへのアクセスを防げる閉鎖位置との間を移動可能であるクリップとを有する歯列矯正ブラケットが開示されている。
【先行技術文献】
【特許文献】
【０００４】
【特許文献１】特開平６−０７０９４３号公報
【特許文献２】特開平６−１５４２４４号公報
【特許文献３】特表２００３−５０１２０２号公報
【特許文献４】特表２００５−５３０５９８号公報
【特許文献５】特表２００７−５２７７５２号公報
【発明の概要】
【発明が解決しようとする課題】
【０００５】
しかし、上述した従来における歯列矯正用ブラケットは、いずれも次のような問題点があった。
【０００６】
第一に、この種の歯列矯正用ブラケットは歯の表面に固定して用いるため、そのサイズは数ミリメートル程度と小さい。したがって、形状や構造はできるだけ単純であることが望ましいが、従来の歯列矯正用ブラケットは構造を含む形状が複雑化する傾向があり、製造等に係わる高コスト化及び取扱性（使用容易性）低下を招くとともに、故障（破損）を生じやすいなど、耐久性にも難がある。
【０００７】
第二に、歯の表面に固定して使用するため、口内壁に接する歯列矯正用ブラケットの表面はできるだけ平坦な形状にするなど、その使用感や外観性を考慮する必要があるが、従来の歯列矯正用ブラケットは表面の凹凸が大きいとともに、煩雑感があり、使用時における使用感や外観性において十分であるとは言えない。
【０００８】
本発明は、このような背景技術に存在する課題を解決した歯列矯正用ブラケットの提供を目的とするものである。
【課題を解決するための手段】
【０００９】
本発明は、上述した課題を解決するため、被矯正歯Ｔの表面Ｔｆに固定してアーチワイヤＡを保持する歯列矯正用ブラケット１を構成するに際して、アーチワイヤＡが挿通する挿通孔２ｈｐ，２ｈｑを有するワイヤホルダ部２と、このワイヤホルダ部２に嵌合し、かつ被矯正歯Ｔの表面Ｔｆに接着固定するホルダ支持部３と、アーチワイヤＡを挿通させたワイヤホルダ部２をホルダ支持部３に嵌合した際に当該ワイヤホルダ部２を当該ホルダ支持部３に固定する固定部４とを具備してなることを特徴とする。
【００１０】
この場合、発明の好適な態様により、ホルダ支持部３には、アーチワイヤＡに対する位置規制部１１…を一体に設けることができる。また、ワイヤホルダ部２は、ホルダ支持部３の前面部３ｆ及び側面部３ｓ全体を覆う形状に構成することができる。さらに、固定部４には、ワイヤホルダ部２及びホルダ支持部３とは別体に形成するとともに、ワイヤホルダ部２とホルダ支持部３間に挿通し又は係止する一又は二以上のピン部１３，１３を有し、かつ当該ピン部１３，１３をワイヤホルダ部２とホルダ支持部３間に挿通し又は係止した際に固定する固定手段１４，１４を有する固定部材１２を用いることができるし、或いはワイヤホルダ部２又はホルダ支持部３の一方に一体形成した係止爪部１５…と、ワイヤホルダ部２又はホルダ支持部３の他方に一体形成し、かつ係止爪部１５…に係止可能な被係止部１６…により構成することもできる。
【発明の効果】
【００１１】
このような構成を有する本発明に係る歯列矯正用ブラケット１によれば、次のような顕著な効果を奏する。
【００１２】
（１）  アーチワイヤＡが挿通する挿通孔２ｈｐ，２ｈｑを有し、かつ被矯正歯Ｔの表面Ｔｆに接着固定するホルダ支持部３に対して嵌合するワイヤホルダ部２を備えるとともに、ワイヤホルダ部２をホルダ支持部３に固定する固定部４を備えるため、固定部４を含む部品類の単純化及び多様化を可能にすることができる。したがって、製造等に係わるコストダウンを図ることができるとともに、取扱性（使用容易性）を高めることができる。また、故障（破損）が生じにくく、耐久性を高めることができる。
【００１３】
（２）  好適な態様により、ホルダ支持部３に、アーチワイヤＡに対する位置規制部１１…を一体に設ければ、被矯正歯Ｔに対するアーチワイヤＡの位置を正確に位置決めすることができる。
【００１４】
（３）  好適な態様により、ワイヤホルダ部２を、ホルダ支持部３の前面部３ｆ及び側面部３ｓ全体を覆う形状に構成すれば、特に、歯列矯正用ブラケット１の前面部分を含む全体の凹凸や煩雑感を排除し、使用時における使用感や外観性を飛躍的に高めることができる。
【００１５】
（４）  好適な態様により、固定部４に、ワイヤホルダ部２及びホルダ支持部３とは別体に形成するとともに、ワイヤホルダ部２とホルダ支持部３間に挿通し又は係止する一又は二以上のピン部１３，１３を有し、かつ当該ピン部１３，１３をワイヤホルダ部２とホルダ支持部３間に挿通し又は係止した際に固定する固定手段１４，１４を有する固定部材１２を用いれば、ワイヤホルダ部２とホルダ支持部３を確実に固定できるとともに、多様な固定手段１４，１４を選択することができる。
【００１６】
（５）  好適な態様により、固定部４を、ワイヤホルダ部２又はホルダ支持部３の一方に一体形成した係止爪部１５…と、ワイヤホルダ部２又はホルダ支持部３の他方に一体形成し、かつ係止爪部１５…に係止可能な被係止部１６…により構成すれば、別体の固定部材が不要になるため、構成の更なる簡素化によるコストダウン及び取扱性（使用容易性）向上を図れるとともに、使用感及び外観性の更なる向上に寄与できる。
【図面の簡単な説明】
【００１７】
【図１】本発明の好適実施形態に係る歯列矯正用ブラケットの断面側面図、
【図２】同歯列矯正用ブラケットの一部破断正面図、
【図３】同歯列矯正用ブラケットに用いるワイヤホルダ部の斜視図、
【図４】同歯列矯正用ブラケットに用いるホルダ支持部の斜視図、
【図５】同歯列矯正用ブラケットの使用説明図、
【図６】同歯列矯正用ブラケットの他の使用説明図、
【図７】同歯列矯正用ブラケットの他の使用説明図、
【図８】同歯列矯正用ブラケットの使用状態を示す正面図、
【図９】本発明の変更実施形態に係る歯列矯正用ブラケットに用いる固定部の正面図及び側面図、
【図１０】本発明の他の変更実施形態に係る歯列矯正用ブラケットに用いる固定部の正面図、
【図１１】本発明の他の変更実施形態に係る歯列矯正用ブラケットに用いる固定部を明示する側面断面図、
【発明を実施するための形態】
【００１８】
次に、本発明に係る好適実施形態を挙げ、図面に基づき詳細に説明する。
【００１９】
まず、本実施形態に係る歯列矯正用ブラケット１の構成について、図１〜図４及び図７を参照して説明する。
【００２０】
歯列矯正用ブラケット１は、基本的な構成部品類として、アーチワイヤＡが挿通する挿通孔２ｈｐ，２ｈｑを有するワイヤホルダ部２と、このワイヤホルダ部２に嵌合し、かつ被矯正歯Ｔの前面（表面）Ｔｆに接着固定するホルダ支持部３と、アーチワイヤＡを挿通させたワイヤホルダ部２をホルダ支持部３に嵌合した際に当該ワイヤホルダ部２を当該ホルダ支持部３に固定する固定部４とを備える。
【００２１】
ワイヤホルダ部２は、図１及び図３に示すように、合成樹脂素材により全体を一体成形するとともに、外観形状が直方体となり、かつ一面（後面）が開放された内部中空に形成する。したがって、このワイヤホルダ部２は、矩形状の前面部２ｆ及びこの前面部２ｆの四辺から直角方向に延設した矩形枠状の側面部２ｓからなり、さらに、この側面部２ｓは、図２に示すように、使用位置において、上面２ｓｕ，下面２ｓｄ，右面２ｓｐ及び左面２ｓｑを有する。なお、ワイヤホルダ部２の形成素材としては、その他、金属素材やセラミック素材などであってもよい。また、ワイヤホルダ部２の外面は、平坦面や曲面を使用し、全体の凹凸や煩雑感を排除する。そして、右面２ｓｐ及び左面２ｓｑにおける上下中央位置には、それぞれアーチワイヤＡが挿通する挿通孔２ｈｐ及び２ｈｑを形成するとともに、上面２ｓｕ及び下面２ｓｄにおける左右の離間した位置には、それぞれ後述する固定部材１２における二つのピン部１３，１３が挿通する一対の挿通孔２１ｕ，２１ｄ…を二つ（二組）形成する。
【００２２】
このように形成するワイヤホルダ部２は、後述するホルダ支持部３の前面３ｆ及び側面３ｓ全体を覆う形状となる。このように、ワイヤホルダ部２を、ホルダ支持部３の前面３ｆ及び側面３ｓ全体を覆う形状に構成すれば、特に、歯列矯正用ブラケット１の前面を含む全体の凹凸や煩雑感を排除し、使用時における使用感や外観性を飛躍的に高めることができる利点がある。
【００２３】
一方、ホルダ支持部３は、図１及び図４に示すように、合成樹脂素材により全体を一体成形するとともに、全体の外郭形状を、ワイヤホルダ部２の内部に嵌合するように直方体に収まる形状に形成する。したがって、このホルダ支持部３は、ワイヤホルダ部２における前面部２ｆ及び側面部２ｓに対応（対面）する前面部３ｆ及び側面部３ｓを有しており、さらに、この側面部３ｓは、図２及び図４に示すように、使用位置において、上面３ｓｕ，下面３ｓｄ，右面３ｓｐ及び左面３ｓｑを有する。なお、ホルダ支持部３の形成素材としては、その他、金属素材やセラミック素材などであってもよい。
【００２４】
また、前面部３ｆの反対側に位置する後面部３ｒは、被矯正歯Ｔの前面Ｔｆに接着固定するための固定面となる。したがって、この固定面（後面部３ｒ）は、必要に応じて被矯正歯Ｔの前面Ｔｆに面接触できるように湾曲面等により形成することが望ましい。さらに、前面部３ｆにおける上下中央位置には左右方向に沿った保持溝２２を形成する。これにより、保持溝２２の上下にアーチワイヤＡに対する凸状の位置規制部１１，１１が一体形成される。この保持溝２２にはアーチワイヤＡを収容することができる。したがって、このような位置規制部１１…により被矯正歯Ｔに対するアーチワイヤＡの位置が正確に位置決めされる。また、右面３ｓｐ及び左面３ｓｑの前後方向中間位置には、それぞれ係止スリット２３ｐ，２３ｑを形成する。各係止スリット２３ｐ，２３ｑの上下両端は、ワイヤホルダ部２に設けた一対の挿通孔２１ｕ，２１ｕ，及び２１ｄ，２１ｄに対向する。
【００２５】
他方、固定部４には、図７に示すように、ワイヤホルダ部２及びホルダ支持部３とは別体に形成した固定部材１２を用いる。固定部材１２は一本のワイヤ部材２５をコの字形に折曲して形成する。したがって、両側には対峙する一対のピン部１３，１３が設けられる。また、ワイヤ部材２５は人の指等により比較的容易に折曲可能、即ち、塑性変形させることができる金属素材により形成する。これにより、ピン部１３，１３の先端側が折曲可能な固定手段１４，１４となる。このピン部１３，１３は、ワイヤホルダ部２に設けた挿通孔２１ｕ，２１ｕ，及び２１ｄ，２１ｄに挿通させ、かつ係止スリット２３ｐ，２３ｑに収容（係止）することができる。このような固定部材１２を用いることにより、ワイヤホルダ部２とホルダ支持部３を確実に固定することができるとともに、多様な固定手段１４，１４を選択することができる利点がある。
【００２６】
次に、本実施形態に係る歯列矯正用ブラケット１の使用方法について、図５〜図８を参照して説明する。
【００２７】
まず、矯正を行う歯列Ｌｔの歯数に対応する数量のホルダ支持部３…を用意し、図５に示すように、各被矯正歯Ｔ…の前面Ｔｆ…における所定位置に、ホルダ支持部３…の後面部３ｒ…を接着剤Ｊ（図１参照）により接着固定する。また、歯列Ｌｔに沿った形状を有し、かつ所定の弾性を有するアーチワイヤＡを用意し、図６に示すように、アーチワイヤＡに対して、ホルダ支持部３…の数量に対応する数量のワイヤホルダ部２…を装填する。即ち、各ワイヤホルダ部２…における挿通孔２ｈｐ，２ｈｑ…にアーチワイヤＡを挿通させる。
【００２８】
次いで、図７に示すように、各ワイヤホルダ部２…を、各被矯正歯Ｔ…の前面Ｔｆ…に接着固定した各ホルダ支持部３…に装着する。この際、アーチワイヤＡは、図１に示すように、保持溝２２に収容される。また、この場合、各ワイヤホルダ部２…はアーチワイヤＡにより支持されているため、各ワイヤホルダ部２…を各ホルダ支持部３…に対して容易に装着することができる。そして、用意した固定部材１２…をワイヤホルダ部２…の上から各挿通孔２１ｕ，２１ｕに装着する。即ち、固定部材１２における二つのピン部１３，１３の先端を上側に位置する二つの挿通孔２１ｕ，２１ｕにそれぞれ差し込む。これにより、ピン部１３，１３の先端側は、係止スリット２３ｐ，２３ｑを通り、下側に位置する二つの挿通孔２１ｄ，２１ｄを挿通し、図７に示すように、ワイヤホルダ部２…の下方に突出する。したがって、ワイヤホルダ部２…から突出したピン部１３，１３の先端側を、図２及び図８に示すように略直角に折曲すれば、ピン部１３，１３は抜け止めされ、ワイヤホルダ部２を当該ホルダ支持部３に固定することができる。
【００２９】
図８は、各被矯正歯Ｔ…に接着固定した歯列矯正用ブラケット１…によりアーチワイヤＡを支持した状態を示す。これにより、この状態を一定期間継続させれば、アーチワイヤＡの弾力が被矯正歯Ｔ…に作用し、歯列Ｌｔが矯正される。このように、本実施形態に係る歯列矯正用ブラケット１によれば、アーチワイヤＡが挿通する挿通孔２ｈｐ，２ｈｑを有し、かつ被矯正歯Ｔの前面Ｔｆに接着固定するホルダ支持部３…に対して嵌合するワイヤホルダ部２を備えるとともに、このワイヤホルダ部２をホルダ支持部３に固定する固定部４を備えてなるため、固定部４を含む部品類の単純化及び多様化を可能にすることができる。したがって、製造等に係わるコストダウンを図ることができるとともに、歯列矯正用ブラケット１の取扱性（使用容易性）をより高めることができる。また、故障（破損）が生じにくく、耐久性を高めることができる。
【００３０】
次に、本発明の変更実施形態に係る歯列矯正用ブラケット１について、図９〜図１１を参照して説明する。なお、図９〜図１１に示す変更実施形態はいずれも歯列矯正用ブラケット１に用いる固定部４の変更例を示す。
【００３１】
図９に示す固定部４は、図１〜図８に示した固定部材１２におけるピン部１３…の数量を変更したものである。即ち、図１〜図８の固定部４は、二つのピン部１３，１３（及び固定手段１４，１４）を有する固定部材１２を示したが、図９の固定部４は、一つのピン部１３（及び固定手段１４）を有する固定部材１２を示す。したがって、ワイヤホルダ部２には、その左右中央位置に一組による一対の挿通孔２１ｕ，２１ｄを設けるとともに、ホルダ支持部３には、その左右中央位置に、スリット２３ｐ…の代わりとなる一つの貫通孔を設ければよい。このように、図９に示す変更実施形態に係る固定部材１２は、ピン部１３を一つにした点を除き、基本的な構成は図１〜図８の固定部材１２と同様に実施できるとともに、同様の効果を享受できる。
【００３２】
また、図１０に示す固定部４は、図１〜図８に示した固定部材１２における固定手段１４，１４を変更したものである。即ち、図１〜図８の固定手段１４，１４は、固定部材１２の形成素材として塑性変形する金属素材を使用し、固定する際には略直角に折曲することができるようにしたものであるが、図１０の固定手段１４，１４は、挿通孔２１ｄ…に対して挿入する際には窄んで挿入可能となるが、挿入後は拡がることによりワイヤホルダ部２に係止（固定）する、弾性を有するストッパ爪１４ｓ，１４ｓを用いたものである。したがって、図１０に示す変更実施形態の場合には、固定部材１２の全体を合成樹脂素材等の一定の弾性を有する弾性素材により形成することが望ましい。なお、図１０に示す固定部材１２の断面形状は矩形である。
【００３３】
さらに、図１１に示す固定部４は、図１〜図８に示した固定部材１２を使用しないタイプを示す。即ち、図１〜図８の固定部４は、ワイヤホルダ部２及びホルダ支持部３とは別体に形成したものであるが、図１１の固定部４は、ワイヤホルダ部２又はホルダ支持部３の一方に一体形成した係止爪部１５…と、ワイヤホルダ部２又はホルダ支持部３の他方に一体形成し、かつ係止爪部１５…に係止可能な被係止部１６…により構成したものである。この場合、係止爪部１５…と被係止部１６…は、一組であってもよいし複数組であってもよい。このように構成すれば、別体の固定部材１２が不要になるため、構成の更なる簡素化によるコストダウン及び取扱性（使用容易性）向上を図れるとともに、使用感及び外観性の更なる向上に寄与できる。なお、図９〜図１１において、図１〜図８と同一部分には同一符号を付してその構成を明確にするとともに、その詳細な説明は省略する。
【００３４】
以上、好適実施形態（変更実施形態）について詳細に説明したが、本発明は、このような実施形態に限定されるものではなく、細部の構成，形状，素材，数量等において、本発明の要旨を逸脱しない範囲で、任意に変更，追加，削除することができる。
【００３５】
例えば、ホルダ支持部３に、アーチワイヤＡに対する位置規制部１１…を一体に設けた場合を示したが、ワイヤホルダ部２に設けた挿通孔２ｈｐ，２ｈｑに兼用させれば、必ずしも位置規制部１１…を設けることを要しない。さらに、ワイヤホルダ部２に設ける挿通孔２ｈｐ，２ｈｑは切欠状の凹部形状により形成してもよい。この場合には、アーチワイヤＡが取付けられた状態において追加の被矯正歯Ｔが発生した際に、歯列矯正用ブラケット１を後付けすることができる。したがって、挿通孔２ｈｐ，２ｈｑには、ワイヤホルダ部２に孔を形成する場合と、ワイヤホルダ部２に凹部形状を形成し、ホルダ支持部３側と組合わさって孔を形成する場合の双方が含まれる。
【００３６】
また、ワイヤホルダ部２の形態は任意であり、例えば、例示の前面形状は長方形状に形成したが、その他、ハート形や星形等の任意の形状により形成することができる。このように、ワイヤホルダ部２の形状を変更することにより、多様性やデザイン性（趣味性）をより高めることもできる。さらに、ワイヤホルダ部２の形態として、ホルダ支持部３の前面部３ｆ及び側面部３ｓ全体を覆う形状に構成する場合を示したが、前面部３ｆ及び側面部３ｓの一部を覆う形状であってもよい。
【００３７】
一方、例示の実施形態では、被矯正歯Ｔの前面に歯列矯正用ブラケット１を固定する場合を示したが、下顎側では被矯正歯Ｔの後面に固定する場合がある。したがって、被矯正歯Ｔの表面Ｔｆには前面と後面の双方が含まれる。他方、固定部材１２におけるピン部１３…の数量は任意であり、必要により三つ以上のピン部１３…を用いてもよい。また、ピン部１３…の形態には、棒状，板状，ワイヤ状等の各種形態が含まれる。
【産業上の利用可能性】
【００３８】
本発明に係る歯列矯正用ブラケットは、被矯正歯の表面に固定して歯列の矯正を行う各種アーチワイヤを保持する際に利用できる。
【符号の説明】
【００３９】
１：歯列矯正用ブラケット，２：ワイヤホルダ部，２ｈｐ：挿通孔，２ｈｑ：挿通孔，３：ホルダ支持部，３ｆ：ホルダ支持部の前面部，３ｓ：ホルダ支持部の側面部，４：固定部，１１…：位置規制部，１２：固定部材，１３：ピン部，１４：固定手段，１５…：係止爪部，１６…：被係止部，Ｔ：被矯正歯，Ｔｆ：被矯正歯の表面，Ａ：アーチワイヤ
【図１】
2010263932.tif 000003
【図２】
2010263932.tif 000004
【図３】
2010263932.tif 000005
【図４】
2010263932.tif 000006
【図５】
2010263932.tif 000007
【図６】
2010263932.tif 000008
【図７】
2010263932.tif 000009
【図８】
2010263932.tif 000010
【図９】
2010263932.tif 000011
【図１０】
2010263932.tif 000012
【図１１】
2010263932.tif 000013